(57)【特許請求の範囲】
【請求項１】
管体からなり、水冷式凝縮器の冷却用配管内に摺動自在に挿入される挿入ガイド棒と、
上記挿入ガイド棒の後端部に連結され、所定の太さを有する把手棒と、
上記把手棒の前記挿入ガイド棒寄りの外周面に設けられ、上記挿入ガイド棒の中空部に連通した引き出し孔と、
先端にブラシが連結され、後端が、上記挿入ガイド棒の前端から上記挿入ガイド棒の中空部に挿入されて上記引き出し孔から上記把手棒の外部に引き出されることにより、上記把手棒と一緒に把持される弾性可撓条体からなる清掃体と
を備えた水冷式凝縮器の清掃具。
【請求項２】
挿入ガイド棒を、把手棒に着脱自在に装着されたものとしたことを特徴とする請求項１記載の水冷式凝縮器の清掃具。
【発明の詳細な説明】
【０００１】
【発明の属する技術分野】
この発明は、水冷式凝縮器の冷却用配管に挿入されて使用される水冷式凝縮器の清掃具に関する。
【０００２】
【従来の技術】
図１０及び図１１は、従来の水冷式凝縮器の清掃具を示す図で、図１０は清掃具による清掃状態を概念的に説明する図、図１１は図１０の清掃具によって清掃される水冷式凝縮器が設けられた空気調和設備を概念的に示す図である。図において、１は冷却塔、２は冷却水管路、３は冷却水管路２に設けられた水冷式凝縮器、４は水冷式凝縮器３に対応して設けられた圧縮機、５は冷却水管路２に設けられたポンプである。
【０００３】
６は水冷式凝縮器３における冷却水入り口弁、７は水冷式凝縮器３における冷却水出口弁、８は水冷式凝縮器３の内部に並列に設けられた多数の冷却用配管、９は冷却水管路２の冷却水出口弁７と水冷式凝縮器３の間に設けられた排水弁、１０は冷却用配管８に挿入されるブラシ、１１はブラシ１０に接続されたピアノ線からなる弾性可撓条体、１２はブラシ１０及び弾性可撓条体１１によって構成された清掃具である。
【０００４】
従来の水冷式凝縮器の清掃具は上記のように構成され、次に述べるようにして冷却用配管８内部が清掃される。すなわち、ポンプ５を含む空気調和設備を停止して冷却水入り口弁６及び冷却水出口弁７を全閉する。そして、排水弁９を開放して冷却用配管８内の冷却水を排水し、図示が省略してあるが水冷式凝縮器３の端面の蓋を取り外す。この状態で、図１０に示すように清掃具１２のブラシ１０を冷却用配管８に挿入して弾性可撓条体１１を抜き差し操作し、冷却用配管８内の異物を除去する清掃作業が行われる。
【０００５】
【発明が解決しようとする課題】
上記のような従来の水冷式凝縮器の清掃具による清掃作業では、細い弾性可撓条体１１を作業員が両手で把持して、ブラシ１０を冷却用配管８に抜き差しする操作が行われる。この操作は図１０に示すように弾性可撓条体１１が歪曲するため、一度に押し込むことができる長さが短く、また細い弾性可撓条体１１を強く握って押し込む操作が必要である。このため、疲労し易く困難な作業となり清掃作業能率が低いという問題点があった。
【０００６】
この発明は、かかる問題点を解消するためになされたものであり、水冷式凝縮器の冷却用配管内を容易に清掃できる水冷式凝縮器の清掃具を得ることを目的とする。
【０００７】
【課題を解決するための手段】
この発明に係る水冷式凝縮器の清掃具においては、管体からなり、水冷式凝縮器の冷却用配管内に摺動自在に挿入される挿入ガイド棒と、挿入ガイド棒の後端部に連結され、所定の太さを有する把手棒と、把手棒の挿入ガイド棒寄りの外周面に設けられ、挿入ガイド棒の中空部に連通した引き出し孔と、先端にブラシが連結され、後端が、挿入ガイド棒の前端から挿入ガイド棒の中空部に挿入されて引き出し孔から把手棒の外部に引き出されることにより、把手棒と一緒に把持される弾性可撓条体からなる清掃体とが設けられる。
【０００８】
また、この発明に係る水冷式凝縮器の清掃具においては、把手棒に着脱自在に装着された挿入ガイド棒が設けられる。
【０００９】
【発明の実施の形態】
実施の形態１．
図１〜図９は、この発明の実施の形態の一例を示す図で、図１は清掃具の縦断面図、図２は図１の清掃補助具の斜視図、図３は図２の把手棒の縦断面図、図４は図２の挿入ガイド棒の縦断面図、図５は図１の清掃具の使用状態を説明する図で、水冷式凝縮器の冷却用配管を縦断して示す図、図６は図１の清掃具の他の使用状態を説明する図５相当図、図７は図１の清掃具によって清掃される水冷式凝縮器の正面図、図８は図７の要部を破断して示す図、図９は図８の横断面図である。
【００１０】
なお、図１〜図９の他は空気調和設備等が前述の図１１と同様に設けられている。図において、３は冷却水管路２に設けられた水冷式凝縮器、６は水冷式凝縮器３における冷却水入り口弁、７は水冷式凝縮器３における冷却水出口弁、８は水冷式凝縮器３の内部に並列に設けられた多数の冷却用配管、９は冷却水管路２の冷却水出口弁７と水冷式凝縮器３の間に設けられた排水弁である。
【００１１】
１３は水冷式凝縮器３の長手端面に設けられた蓋で、ボルト及びナットからなる締結具１４によって水冷式凝縮器３本体に締結されている。１５は清掃補助具で、管体からなり継ぎ手１６の一側に締結されて継ぎ手１６寄りに引き出し孔１７が設けられた把手棒１８及び継ぎ手１６の反把手棒１８側にねじ込まれたフレアーナット１９によって把手棒１８の継ぎ手１６に連結された管体製の挿入ガイド棒２０によって構成されている。
【００１２】
なお、把手棒１８は人間工学的に握り易い太さに製作されている。２１は清掃体で、水冷式凝縮器３の冷却用配管８に挿入されるブラシ２２が先端に連結されて、挿入ガイド棒２０に前端から摺動自在に挿入されて把手棒１８の引き出し孔１７から引き出されたピアノ線等の弾性材料によって製作された弾性可撓条体２３によって構成されている。また、２４は清掃補助具１５及び清掃体２１によって構成された清掃具である。
【００１３】
上記のように構成された水冷式凝縮器の清掃具において、次に述べるようにして冷却用配管８内部が清掃される。すなわち、ポンプ５を含む空気調和設備を停止して冷却水入り口弁６及び冷却水出口弁７を全閉する。そして、排水弁９を開放して冷却用配管８内の冷却水を排水し、水冷式凝縮器３の端面の蓋１３を取り外す。
【００１４】
この状態で、図１に示す清掃具２４における清掃補助具１５の把手棒１８と清掃体２１の弾性可撓条体２３を作業員が一緒に把持して、図５に示すように清掃補助具１５のブラシ２２及び挿入ガイド棒２０の前端側を冷却用配管８の開口部内に挿入する。そして、図５に示す状態で作業員が把手棒１８と弾性可撓条体２３を一緒に把持したまま、抜き差し操作して冷却用配管８内に付着している異物を排除する。
【００１５】
次いで、図５に示す状態において弾性可撓条体２３のみを手から放して、把手棒１８だけを図６に示すように冷却用配管８から引き出す。なお、このときにブラシ２２は冷却用配管８内面に挟圧状態で接触しているので、ブラシ２２が冷却用配管８の開口端方向に移動することはない。
【００１６】
そして、図６に示す状態において清掃具２４における清掃補助具１５の把手棒１８と清掃体２１の弾性可撓条体２３を作業員が一緒に把持して、清掃補助具１５の挿入ガイド棒２０を再び冷却用配管８内に挿入する。これによって、ブラシ２２が前回よりも冷却用配管８の奥側に移動し、この状態で再び把手棒１８と弾性可撓条体２３を一緒に把持したまま抜き差し操作して、前回よりも奥側の冷却用配管８内に付着している異物を排除する。
【００１７】
そして、このような異物を排除操作を繰り返して、ブラシ２２が冷却用配管８の他端の開口部に到達するまで冷却用配管８内が清掃される。また、並列に配置された他の冷却用配管８も同様な操作によって清掃される。このように、清掃具２４を使用した清掃作業においては、清掃補助具１５の把手棒１８と清掃体２４の弾性可撓条体２３を作業員が一緒に把持して、清掃補助具１５と清掃体２１を抜き差しする操作が行われる。
【００１８】
したがって、ブラシ２２によって冷却用配管８内を容易に摺擦することができ、少ない労力によって能率よく清掃できて作業能率を向上することができる。なお、清掃終了後に水冷式凝縮器３の端面の蓋１３が装着され、冷却水入り口弁６を全開する。この状態で排水弁９が開放されているので、水冷式凝縮器３に通水して異物を排水弁９から流出させて冷却用配管８内が洗浄される。この後に、排水弁９を閉塞して冷却水出口弁７を全開する。これによって、空気調和設備が運転可能状態に復帰する。
【００１９】
実施の形態２．
図１〜図９の実施の形態の構成を応用して容易に次に述べるような水冷式凝縮器の清掃具を実現することができる。そして、前述の図１〜図９の実施の形態における作用と共に、次に述べる作用を得ることができる。すなわち、フレアーナット１９によって把手棒１８の継ぎ手１６に、挿入ガイド棒２０が締結される。このため、挿入ガイド棒２０を把手棒１８に容易に着脱することができる。
【００２０】
したがって、数種類の適宜な長さの挿入ガイド棒２０を準備する。そして、水冷式凝縮器３の冷却用配管８長さの相違、清掃作業現場の作業スペースの状況、すなわち挿入ガイド棒２０の引き抜き余裕等に応じて適当な長さの挿入ガイド棒２０を把手棒１８に装着する。これによって、さらに清掃作業を容易化できて作業能率を向上することができる。
【００２１】
【発明の効果】
この発明は以上説明したように、管体からなり、水冷式凝縮器の冷却用配管内に摺動自在に挿入される挿入ガイド棒と、挿入ガイド棒の後端部に連結され、所定の太さを有する把手棒と、把手棒の挿入ガイド棒寄りの外周面に設けられ、挿入ガイド棒の中空部に連通した引き出し孔と、先端にブラシが連結され、後端が、挿入ガイド棒の前端から挿入ガイド棒の中空部に挿入されて引き出し孔から把手棒の外部に引き出されることにより、把手棒と一緒に把持される弾性可撓条体からなる清掃体とにより清掃具を構成したものである
。
【００２２】
これによって、清掃補助具の把手棒と清掃体の弾性可撓条体を作業員が一緒に把持して、清掃補助具と清掃体を一緒に抜き差しする操作によって清掃作業が行われる。したがって、ブラシによって冷却用配管内を容易に摺擦することができ、少ない労力によって能率よく清掃できて作業能率を向上する効果がある。
【００２３】
また、この発明は以上説明したように、挿入ガイド棒を把手棒に着脱自在に装着したものである。
【００２４】
これによって、清掃補助具の把手棒と清掃体の弾性可撓条体を作業員が一緒に把持して、清掃補助具と清掃体を一緒に抜き差しする操作によって清掃作業が行われる。したがって、ブラシによって冷却用配管内を容易に摺擦することができ、少ない労力によって能率よく清掃できて作業能率を向上する効果がある。
また、長さの異なる挿入ガイド棒を準備して、水冷式凝縮器の冷却用配管長さの相違、清掃作業現場の作業スペースの状況、すなわち挿入ガイド棒の引き抜き余裕等に応じて適当な長さの挿入ガイド棒を把手棒に装着する。これによって、さらに清掃作業を容易化できて作業能率を向上する効果がある。
【図面の簡単な説明】
【図１】  この発明の実施の形態１を示す清掃具の縦断面図。
【図２】  図１の清掃補助具の斜視図。
【図３】  図２の把手棒の縦断面図。
【図４】  図２の挿入ガイド棒の縦断面図。
【図５】  図１の清掃具の使用状態を説明する図で、水冷式凝縮器の冷却用配管を縦断して示す図。
【図６】  図１の清掃具の他の使用状態を説明する図で、図５相当図。
【図７】  図１の清掃具によって清掃される水冷式凝縮器の正面図。
【図８】  図７の要部を破断して示す図。
【図９】  図８の横断面図。
【図１０】  従来の水冷式凝縮器の清掃具を示す図で、清掃具による清掃状態を概念的に説明する図。
【図１１】  図１０の清掃具によって清掃される水冷式凝縮器が設けられた空気調和設備を概念的に示す図。
【符号の説明】
３  水冷式凝縮器、８  冷却用配管、１５  清掃補助具、１７  引き出し孔、１８  把手棒、２０  挿入ガイド棒、２１  清掃体、２２  ブラシ、２３  弾性可撓条体。
【図１】
0003957448.tif 000002
【図２】
0003957448.tif 000003
【図３】
0003957448.tif 000004
【図４】
0003957448.tif 000005
【図５】
0003957448.tif 000006
【図６】
0003957448.tif 000007
【図７】
0003957448.tif 000008
【図８】
0003957448.tif 000009
【図９】
0003957448.tif 000010
【図１０】
0003957448.tif 000011
【図１１】
0003957448.tif 000012